(57)【要約】【課題】親機と子機とが１回線で接続された無線機において、子機からの操作により親機から子機に対して送信される音声の種類やレベルを調整することのできる音声通信システムを提供することにある。【解決手段】親機１と子機２は１回線の無線通信により接続される。主装置３は親機１が子機２に対して送信する通話データを親機１に出力する。通話データ処理部３２は子機２からのコマンドに基づいて主装置３に入力された通話データを処理する。コマンド生成部２６は通話データ処理部３２における音声データ及び／又は音楽データの処理内容を指示するコマンドを生成する。【選択図】図１
2019205108.tif 000002
【特許請求の範囲】
【請求項１】
１回線の無線通信により接続された親機と子機と、
前記親機と接続され、前記親機が前記子機に対して送信する通話データを前記親機に出力する主装置と、
前記主装置に設けられ、前記子機からのコマンドに基づいて前記主装置に入力された前記通話データを処理する通話データ処理部と、
前記子機に設けられ、前記通話データ処理部における前記通話データの処理内容を指示する前記コマンドを生成するコマンド生成部と、
前記子機に設けられ、前記コマンド生成部が生成した前記コマンドを前記親機を経由して前記主装置に対して送信すると共に、前記通話データの送受信を行う送受信部と、
前記主装置に設けられ、前記子機との間で前記親機を経由して前記通話データ及び前記コマンドの送受信を行う送受信部と、
を有することを特徴とする音声通信システム。
【請求項２】
前記通話データ処理部は、前記子機に送信する前記通話データの出力レベルを制御するレベル制御部を備える請求項１に記載の音声通信システム。
【請求項３】
前記通話データが音声データ及び／又は音楽データからなり、
前記通話データ処理部は、前記主装置に入力された音声データ及び／又は音楽データを所定の割合で混合して、前記子機に送信する前記通話データを生成する混合部を備える請求項２に記載の音声通信システム。
【請求項４】
前記子機は複数の操作ボタンを備え、個々の操作ボタンあるいは複数の操作ボタンの組み合わせにより、前記通話データ処理部に出力する前記通話データの処理内容を示す前記コマンドの種別を決定する請求項１から請求項３のいずれか１項に記載の音声通信システム。
【発明の詳細な説明】
【技術分野】
【０００１】
本発明は、親機と子機との間で無線通信により音声を送受信する音声通信システムに関する。
【背景技術】
【０００２】
一般に、インターカムと呼ばれる無線機は、主装置に対して有線で接続された親機と、親機に対して無線で接続された子機との間で音声信号を送受信する。この種の無線機の一つに、１チャンネルの通信回線を有するものが知られている。この型の無線機は、子機と親機との通信は１回線しかないため、子機は主装置から送られてくる音声を１種類だけしか受信することができない。例えば、子機は複数のグループの音声を同時に受信したり、音声とそのバックグラウンドに流れる音楽を子機で別々に好みの音量に調整することができない。
【先行技術文献】
【特許文献】
【０００３】
【特許文献１】特開２０１１−１０９３１３号公報
【特許文献２】特開２０１５−１１９２２９号公報
【発明の概要】
【発明が解決しようとする課題】
【０００４】
複数のチャンネルを有する無線機においては、例えば、特許文献１や特許文献２に示すように、子機からの信号によって親機や主装置を制御し、子機は受信する音声データ及び／又は音楽データをユーザーの好みのものに変更する技術も知られている。しかしながら、このような技術は、複数の回線が別途必要になるなど、親機と子機とを１回線で接続した無線機には採用することができない。
【０００５】
本発明は、上記のような従来技術の問題点を解消するために提案されたものである。本発明の目的は、親機と子機とが１回線で接続された無線機において、子機からの操作により親機から子機に対して送信される音声の種類やレベルを調整することのできる音声通信システムを提供することにある。
【課題を解決するための手段】
【０００６】
本発明の音声通信システムは、次のような構成を有することを特徴とする。
（１）１回線の無線通信により接続された親機と子機。
（２）前記親機と接続され、前記親機が前記子機に対して送信する通話データを前記親機に出力する主装置。
（３）前記主装置に設けられ、前記子機からのコマンドに基づいて前記主装置に入力された前記通話データを処理する通話データ処理部。
（４）前記子機に設けられ、前記通話データ処理部における前記通話データの処理内容を指示する前記コマンドを生成するコマンド生成部。
（５）前記子機に設けられ、前記コマンド生成部が生成した前記コマンドを前記親機を経由して前記主装置に対して送信すると共に、前記通話データの送受信を行う送受信部。
（６）前記主装置に設けられ、前記子機との間で前記親機を経由して前記通話データ及び前記コマンドの送受信を行う送受信部。
【０００７】
本発明は、次のような態様も包含する。
（１）前記通話データ処理部は、前記子機に送信する前記通話データの出力レベルを制御するレベル制御部を備える。
（２）前記通話データが音声データ及び／又は音楽データからなり、前記通話データ処理部は、前記主装置に入力された音声データ及び／又は音楽データを所定の割合で混合して、前記子機に送信する前記通話データを生成する混合部を備える。
（３）前記子機は複数の操作ボタンを備え、前記個々の操作ボタンあるいは複数の操作ボタンの組み合わせにより、前記通話データ処理部に出力する前記通話データの処理内容を示す前記コマンドの種別を決定する。
【発明の効果】
【０００８】
本発明によれば、子機は親機との間に設けられた１回線を経由して、通話データ処理部に対して音声データの処理内容を指示することができ、加工後の音声データを利用して親機と通信することが可能となる。その結果、子機と親機の間が１回線で接続されていても、異なったレベルの通話データや、音声と音楽の割合が異なる種々の通話データを子機が受信することが可能となる。
【図面の簡単な説明】
【０００９】
【図１】第１実施形態の音声通信システムの接続関係を示すブロック図。
【図２】第１実施形態における子機と主装置の機能ブロック図。
【発明を実施するための形態】
【００１０】
［１．第１実施形態］
以下、本発明の第１実施形態を図面に従って具体的に説明する。
（１）構成
図１に示すように、本実施形態の音声通信システムは、１回線の無線通信により接続された親機１と子機２、及び親機１と接続された主装置３を有する。図１では、親機１に対して１台の子機２のみを示しているが、実際の運用においては、１台の親機１が送受信の異なる複数のチャンネルを有し、各チャンネルについてそれぞれ１回線の子機２が接続される。
【００１１】
親機１は主装置３に対して、有線あるいは無線で接続され、主装置３から受信した音声データや音楽データなどの通話データを子機２に対して無線で送信する。この場合、複数の子機２がある場合には、それぞれの子機２から送信されたコマンドに従って、子機２毎に個別で好みの音量などにミキシングされた音声データや音楽データなどの通話データが、親機１から子機２に対して配信される。親機１は、子機２からの無線で受信した通話データを、主装置３を経由して他の親機１に配信する。
【００１２】
子機２は通話の開始終了を制御する通話ボタン２１と、通話音量を制御するボリュームボタン２２と、送受信用のアンテナ２３と、通話先やボリュームあるいは後述する通話データの処理内容を表示する表示部２４を備える。子機２は主装置３に対して通話データの処理内容を指示するための操作ボタン２５を備える。本実施形態において、操作ボタン２５は３個設けられ、各操作ボタン２５を単独で押すかあるいは複数の操作ボタン２５を組み合わせて同時に押すかにより、主装置３における通話データの処理内容を示すコマンド決定する。また、３個の操作ボタン２５のいずれかを設定ボタンに割り当て、設定ボタンが押圧された場合に、親機１との回線を開いて、コマンドを送信する。
【００１３】
図２に示すように、子機２の内部にはコマンド生成部２６が設けられる。コマンド生成部２６内には、操作ボタンの２５の組み合わせと主装置３における通話データの処理内容が対応付けて記憶される。コマンド生成部２６は、操作ボタン２５が押圧された場合にその組み合わせの内容を判定し、その判定結果に基づいて主装置３に対して通話データをどのように加工するかを指示するコマンド生成する。コマンド生成部２６の出力側は送受信部２７に接続され、生成されたコマンドはこの送受信部２７から親機１を経由して主装置３に送受信される。
【００１４】
送受信部２７は子機２と親機１との間の通話データも送受信するが、その部分の構成については従来の親機１と子機２と同様であるため、説明は省略する。通話データとコマンドを送信波に重畳させることで、親機１と子機２との間に開設された１回線を利用して同時に送信することができる。また、複数の子機２を使用する場合には、親機１と各子機２とは、それぞれ異なるチャンネルを使用することで、親機１と各子機２間はそれぞれ１回線であるが、親機１は複数回線を使用することで同時に各子機２との間で異なる内容の通話データとコマンドを送受信することができる。
【００１５】
主装置３はデータ受信部３１を有する。データ受信部３１は、外部に設けられた図示しない音源及び／又は他の子機２から音声データ及び／又は音楽データを取得する。主装置３は、データ受信部３１に入力された音声データ及び／又は音楽データを加工する通話データ処理部３２を有する。通話データ処理部３２は、子機２に送信する通話データの出力レベルを制御するレベル制御部３２ａを備える。通話データ処理部３２は、主装置３に入力された音声データ及び／又は音楽データを所定の割合で混合して、子機２に送信する通話データを生成する混合部３２ｂを備える。主装置３は、子機２との間で親機１を経由して通話データ及びコマンドの送受信を行う送受信部３３を有する。
【００１６】
（２）作用
本実施形態の作用は、以下のとおりである。
子機２のユーザーが子機２に設けられた個々の操作ボタン２５あるいは複数の操作ボタン２５を押圧すると、コマンド生成部２６は、予め定められている操作ボタン２５の組み合わせに対応するコマンド生成する。このコマンドは、主装置３に対して通話データをどのように処理するかを指示する。例えば、あるコマンドは、主装置３が子機２に送信する通話データの音量レベルを増加あるいは減少させるという指示内容を示す。また、他のコマンドは、複数の音声データが混合された通話データや、音声データと音楽データが混合された通話データの場合に、両者の混合割合を変更させるという指示内容を示す。
【００１７】
この場合、操作ボタン２５とボリュームボタン２２を組み合わせて操作することにより、操作ボタン２５で選択した音声データや音楽データなどの音量や混合度合いを設定することも可能である。また、異なった種類の音声データや音楽データを処理する場合には、ボリュームボタン２２を複数個設けて、各ボリュームボタン２２に異なる音声データや音楽データを割り当てることもできる。
【００１８】
コマンド生成部２６によって生成されたコマンドは、子機２の送受信部２７及び親機１を経由して主装置３の送受信部３３に送信される。子機２が待ち受け状態にある場合には、操作ボタン２５やボリュームボタン２２を操作してコマンドの生成が完了した場合、例えば、図１に示された３個の操作ボタン２５のいずれかを設定ボタンに割り当てておき、その設定ボタンが押圧された場合に子機２と親機１との回線を開いてコマンドが送信される。子機２が親機１と通話状態にある場合には、生成されたコマンドは、通話データに重畳されるかあるいは割り込みされることにより、親機１に送信される。なお、ボリュームボタン２２に操作ボタン２５及び設定ボタンの機能を付与することで、ボリュームボタン２２を操作しただけで、音量設定コマンドが親機１に送信されるようにすることも可能である。
【００１９】
コマンドを受信した主装置３は、コマンドの指示内容に基づいて、レベル制御部３２ａあるいは混合部３２ｂの設定値を変更する。これにより、子機２に送信する通話データの出力レベルあるいは主装置３に入力された音声データ及び／又は音楽データの混合割合が変更される。その後、主装置３に対して他の子機２や音源から音声データ及び／または音楽データが入力されると、受信側の子機２からのコマンドにより設定されたレベルや混合割合に従って通話データが生成される。生成された通話データは、主装置３の送受信部３３及び親機１を経由して受信側の子機２に送信される。
【００２０】
（３）効果
本実施形態によれば、次のような効果が発揮される。
【００２１】
（ａ）操作ボタン２５を押圧することによって、子機２から主装置３が１回線で接続されているシステムにおいても、子機２が受信する通話データの音量レベルや音声データと音楽データの混合割合を、子機２からの操作によって制御することができる。特に、混合割合や音量調節などの処理がすべて主装置３によって行われるので、各子機２には通話データ処理用のハードウェアやソフトウェアを設ける必要がなく、子機２の構成が複雑化することがない。
【００２２】
（ｂ）予め１個あるいは複数の操作ボタン２５の組み合わせに、通話データ処理部３２で行う処理の内容をコマンド対応させたので、操作ボタン２５を押圧するだけで必要とするコマンドを主装置３に送信することができる。そのため、キーボードなどの汎用の入力手段を持たない小型の子機２であっても必要とするコマンド誤操作なく送信できる。
【００２３】
（ｃ）音声データと音楽データのように異なる種類の音源の混合割合を調整することにより、受信側の子機２が最も聞き取りやすい状態の通話データを受信することが可能となる。複数の子機２からの音声データを混合して受信側の子機２に送信するインターカムモードを備えたシステムにあっても、特定の送信側の子機２の音声のみを強調して受信することも可能となる。
【００２４】
（ｄ）子機２を複数設けた場合には、子機２毎にユーザーの要望に応じて異なる混合割合や音量調節がなされた通話データを受信することが可能となるので、ユーザーごとの通話データの受信環境に応じた適切な通話データを取得することが可能となる。
【００２５】
［２．他の実施形態］
本発明は、前記の実施形態に限定されるものではなく、例えば、次のような他の実施形態も包含する。
（１）通話データ処理部３２として、レベル制御部３２ａまたは混合部３２ｂのいずれか一方を有する。
（２）操作ボタン２５に代えてあるいは操作ボタン２５と併用して、通話データ処理部３２における処理内容を指示するコマンドの生成を、タブレット型端末やスマートホンなどの外部入力手段によりコマンド生成部２６に行わせる。
【符号の説明】
【００２６】
１…親機
２…子機
３…主装置
２１…通話ボタン
２２…ボリュームボタン
２３…アンテナ
２４…表示部
２５…操作ボタン
２６…コマンド生成部
２７…送受信部
３１…データ受信部
３２…通話データ処理部
３２ａ…レベル制御部
３２ｂ…データ混合部
３３…送受信部
【図１】
2019205108.tif 000003
【図２】
2019205108.tif 000004